(57)【要約】【課題】生成画像の解像力に対して最適な画素ピッチの画像を生成することで、メディア容量の圧迫を必要最小限に留める電子撮像装置を提供すること。【解決手段】着脱可能なレンズユニットと被写体像を光電変換して画像信号を生成する撮像手段と、該撮像手段で撮像した画像を記録するための記録手段と、該撮像手段で撮像した画像に画像処理を施すための画像処理手段とを備えた電子撮像装置において、前記レンズユニットの解像力特性を取得する解像力特性取得手段を有し、解像力特性取得手段により読み取られた解像力特性に応じて使用する撮像手段の画素ピッチを間引くことを特徴とする。【選択図】図１
2006033037.tif 000002
【特許請求の範囲】
【請求項１】
着脱可能なレンズユニットと被写体像を光電変換して画像信号を生成する撮像手段と、該撮像手段で撮像した画像を記録するための記録手段と、該撮像手段で撮像した画像に画像処理を施すための画像処理手段とを備えた電子撮像装置において、
前記レンズユニットの解像力特性を取得する解像力特性取得手段を有し、解像力特性取得手段により読み取られた解像力特性に応じて使用する撮像手段の画素ピッチを間引くことを特徴とする電子撮像装置。
【請求項２】
前記解像力特性取得手段は、前記レンズユニットと直接的に通信を行うことにより、前記レンズユニットの解像力特性を取得することを特徴とする請求項１記載の電子撮像装置。
【請求項３】
更にコンピュータとの通信手段を備え、前記解像力特性取得手段は、前記通信手段により接続されたコンピュータとの通信により、前記レンズユニットの解像力特性を取得することを特徴とする請求項１記載の電子撮像装置。
【請求項４】
前記記録手段により記録される媒体は取り外し可能な記録媒体であり、前記解像力特性取得手段は、前記取り外し可能な記録媒体に記録されている情報に基づいて前記レンズユニットの解像力特性を取得することを特徴とする請求項１記載の電子撮像装置。
【発明の詳細な説明】
【技術分野】
【０００１】
本発明は、電子撮像装置、詳しくは、撮影レンズ装置が交換可能である電子撮像装置に関する。
【背景技術】
【０００２】
近年、ＩＣメモリカ−ド、磁気記録媒体、光磁気記録媒体、フラッシュメモリ等を記録媒体とするデジタルスチルカメラ等の電子的撮像装置についての多機能化に関する提案が数多くなされている。その１つとして、撮影画像の記録画素数や圧縮率の設定が変更可能なデジタルスチルカメラがあるが、撮影者の満足する画質で且つファイルサイズが必要以上に大きくならないような適切な記録画素数や圧縮率の選択は難しい。そこで、特許文献１ではカメラの撮影モードの指示に適合した各種パラメータ（レンズの解像度やＣＣＤの画素数等）に基づいて記録画像の圧縮率を決定する電子カメラを提案している。
【０００３】
【特許文献１】特開平１１−０８８８２５号公報
【特許文献２】特開平１０−１５５１００号公報
【発明の開示】
【発明が解決しようとする課題】
【０００４】
ところが、ファイルサイズを小さくするための圧縮では高周波成分を間引くことで実現するため、本来必要であった情報までが欠落してしまい、撮影者が満足できない画質になってしまう場合があった。
【０００５】
本発明は上記問題に鑑みてなされたもので、その目的とする処は、生成画像の解像力に対して最適な画素ピッチの画像を生成することで、メディア容量の圧迫を必要最小限に留める電子撮像装置を提供することにある。
【課題を解決するための手段】
【０００６】
上記の目的を達成するため、本発明は、着脱可能なレンズユニットと被写体像を光電変換して画像信号を生成する撮像手段と、該撮像手段で撮像した画像を記録するための記録手段と、該撮像手段で撮像した画像に画像処理を施すための画像処理手段とを備えた電子撮像装置において、前記レンズユニットの解像力特性を取得する解像力特性取得手段を有し、解像力特性取得手段により読み取られた解像力特性に応じて使用する撮像手段の画素ピッチを間引くことを特徴とする。
【発明の効果】
【０００７】
本発明によれば、生成画像の解像力に対して最適な画素ピッチの画像を生成することで、メディア容量の圧迫を必要最小限に留めることができる。
【発明を実施するための最良の形態】
【０００８】
以下に本発明の実施の形態を添付図面に基づいて説明する。
【０００９】
図１は本発明の実施例の構成を示す図である。
【００１０】
図１において、１００は画像処理装置である。１２は撮像素子１４への露光量を制御するためのシャッター、１４は光学像を電気信号に変換する撮像素子である。
【００１１】
レンズ３１０に入射した光線は、一眼レフ方式によって、絞り３１２、レンズマウント３０６及び１０６、ミラー１３０、シャッター１２を介して導き、光学像として撮像素子１４上に結像することができる。
【００１２】
１６は撮像素子１４のアナログ信号出力をデジタル信号に変換するＡ／Ｄ変換器である。
【００１３】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１４】
２０は画像処理回路であり、Ａ／Ｄ変換器１６からのデータ或はメモリ制御回路２２からのデータに対して所定の画素補間処理や色変換処理を行う。更に、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或はＡ／Ｄ変換器１６のデータが直接メモリ制御回路２２を介して画像表示メモリ２４或はメモリ３０に書き込まれる。
【００１６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００１７】
３０は撮影した静止画像を格納するためのメモリであり、所定枚数の静止画像を格納するのに十分な記憶量を備えている。これにより、複数枚の静止画像を連続して撮影する連写撮影の場合にも、高速且つ大量の画像書き込みをメモリ３０に対して行うことが可能となる。又、メモリ３０はシステム制御回路５０の作業領域としても使用することが可能である。
【００１８】
３２は画像データを圧縮伸長する圧縮・伸長回路であり、メモリ３０に格納された画像を読み込んで圧縮処理或は伸長処理を行い、処理を終えたデータをメモリ３０に書き込む。
【００１９】
４０は測光手段４６からの測光情報に基づいて、絞り３１２を制御する絞り制御手段３４０と連携しながら、シャッター１２を制御するシャッター制御手段である。
【００２０】
４２はＡＦ処理を行うための測距手段であり、レンズ３１０に入射した光線を、一眼レフ方式によって、絞り３１２、レンズマウント３０６及び１０６、ミラー１３０、そして不図示の測距用サブミラーを介して測距手段４２に入射させることにより、光学像として結像された画像の合焦状態を測定することができる。
【００２１】
４６はＡＥ処理を行うための測光手段であり、レンズ３１０に入射した光線を、一眼レフ方式によって、絞り３１２、レンズマウント３０６及び１０６、ミラー１３０及び１３２そして不図示の測光用レンズを介して測光手段４６に入射させることにより、光学像として結像された画像の露出状態を測定することができる。
【００２２】
又、測光手段４６は、フラッシュ４８と連携することによりＥＦ処理機能も有するものである。
【００２３】
４８はフラッシュであり、ＡＦ補助光の投光機能、フラッシュ調光機能も有する。
【００２４】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて文字、画像、音声等を用いて動作状態やメッセージ等を表示する液晶表示装置、スピーカー等の表示部であり、画像処理装置１００の操作部近辺の視認し易い位置に単数或は複数個所設置され、例えばＬＣＤやＬＥＤ、発音素子等の組み合わせにより構成されている。
【００２５】
５６は電気的に消去・記録可能な不揮発性メモリであり、例えばＥＥＰＲＯＭ等が用いられる。
【００２６】
６０，６２，６４，６６，６８及び７０は、システム制御回路５０の各種の動作指示を入力するための操作手段であり、スイッチやダイアル等の単数或は複数の組み合わせで構成される。
【００２７】
７２は電源スイッチで、画像処理装置１００の電源オン、電源オフの各モードを切り替え設定することができる。又、画像処理装置１００に接続されたレンズユニット３００、外部ストロボ、記録媒体２００，２１０等の各種付属装置の電源オン、電源オフの設定も合わせて切り替え設定することができる。
【００２８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００２９】
８２はコネクタ、８６はアルカリ電池やリチウム電池等の一次電池やＮｉＣｄ電池やＮｉＭＨ電池、Ｌｉ電池等の二次電池、ＡＣアダプター等から成る電源手段である。
【００３０】
９０及び９４はメモリカードやハードディスク等の記録媒体とのインタフェース、９２及び９６はメモリカードやハードディスク等の記録媒体と接続を行うコネクタ、９８はコネクタ９２及び或は９６に記録媒体２００或は２１０が装着されているか否かを検知する記録媒体着脱検知手段である。
【００３１】
１０４は光学ファインダであり、レンズ３１０に入射した光線を、一眼レフ方式によって、絞り３１２、レンズマウント３０６及び１０６、ミラー１３０及び１３２を介して導き、光学像として結像表示することができる。
【００３２】
１１０は通信手段で、ＲＳ２３２ＣやＵＳＢ、ＩＥＥＥ１３９４、Ｐ１２８４、ＳＣＳＩ、モデム、ＬＡＮ、無線通信等の各種通信機能を有する。この通信機能により他のコンピュータやプリンタ等の周辺機器との間で画像データや画像データに付属した管理情報を転送し合うことができる。１１２は通信手段１１０により画像処理装置１００を他の機器と接続するコネクタ或は無線通信の場合はアンテナである。
【００３３】
１２０はレンズマウント１０６内において画像処理装置１００をレンズユニット３００と接続するためのインターフェース、１２２は画像処理装置１００をレンズユニット３００と電気的に接続するコネクタ、１２４はレンズマウント１０６及び或はコネクタ１２２にレンズユニット３００が装着されているか否かを検知するレンズ着脱検知手段である。
【００３４】
コネクタ１２２は、画像処理装置１００とレンズユニット３００との間で制御信号、状態信号、データ信号等を伝え合うと共に、各種電圧の電流を供給する機能も備えている。又、コネクタ１２２は電気通信のみならず、光通信、音声通信等を伝達する構成としても良い。
【００３５】
１３０，１３２はミラーで、レンズ３１０に入射した光線を、一眼レフ方式によって光学ファインダ１０４に導くことができる。尚、ミラー１３２は、クイックリターンミラーの構成としても、ハーフミラーの構成としても、どちらでも構わない。
【００３６】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００３７】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００３８】
３００は交換レンズタイプのレンズユニットである。
【００３９】
３０６はレンズユニット３００を画像処理装置１００と機械的に結合するレンズマウントである。レンズマウント３０６内には、レンズユニット３００を画像処理装置１００と電気的に接続する各種機能が含まれている。
【００４０】
３１０は撮影レンズ、３１２は絞りである。
【００４１】
３２０は、レンズマウント３０６内において、レンズユニット３００を画像処理装置１００と接続するためのインタフェース、３２２はレンズユニット３００を画像処理装置１００と電気的に接続するコネクタである。
【００４２】
コネクタ３２２は、画像処理装置１００とレンズユニット３００との間で制御信号、状態信号、データ信号等を伝え合うと共に、各種電圧の電流を供給される或は供給する機能も備えている。又、コネクタ３２２は電気通信のみならず、光通信、音声通信等を伝達する構成としても良い。
【００４３】
３４０は測光手段４６からの測光情報に基づいて、シャッター１２を制御するシャッター制御手段４０と連携しながら、絞り３１２を制御する絞り制御手段である。
【００４４】
３４２は撮影レンズ３１０のフォーカシングを制御する測距制御手段、３４４は撮影レンズ３１０のズーミングを制御するズーム制御手段である。
【００４５】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリの機能も備えている。
【００４６】
図２〜図４を参照して本発明の実施の形態の動作を説明する。
【００４７】
図２のステップ４０１で、画像処理装置１００とレンズユニット３００との間で通信が行われる際に、レンズユニットの解像力特性に関連する情報が画像処理装置に送信される。ステップ４０２で撮影動作が開始され、ステップ４０３で現像処理が行われる。この時点では撮像素子１４の全ての画素の情報を含んだ生データが生成される。次に、ステップ４０４で前記レンズユニットの解像力と撮像素子１４の解像力を比較し、レンズの解像力が劣るようであればステップ４０５で生データの画素情報を間引いて画像データを作成し記録媒体に記憶する。この結果、レンズの性能を最大に引き出し、しかも不必要に大きな画像サイズとならない最適な画像データを生成できる。
【００４８】
図３には水平方向で２画素につき１画素間引き、垂直方向で３画素につき１画素間引く場合の間引き方法を示す。又、図４には水平方向に２画素、垂直方向に３画素のブロックに含まれる６画素を平均化して１画素とする場合の間引き方法を示す。これらの例では撮像素子１４の全画素を読み出した生データから、最適な画像サイズとなる画像データを作成しているが、撮像素子１４からの画像読み出しの時点で１ラインおきに読み出す等の間引き読み出しを行って生データを作成しても良い。
【００４９】
上記実施の形態では、レンズの解像力特性はレンズとの通信により取得しているが、通信手段１１０を介してＰＣと接続し、ＰＣからレンズの解像力特性を取得しても良い。又、着脱可能な記憶媒体２００や２１０内にレンズと解像力特性の対応を記憶しておき、その情報を用いても良い。このようにすれば解像力特性を保持していない若しくは送信手段を持たないレンズに対しても、実施の形態と同様な効果を得ることができる。
【図面の簡単な説明】
【００５０】
【図１】本発明の実施の形態に係る電子撮像装置のブロック図である。
【図２】本発明の実施の形態における撮影処理のフローチャートである。
【図３】本発明の実施の形態における画素の間引き例である。
【図４】本発明の実施の形態における画素の間引き例である。
【符号の説明】
【００５１】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４６  測光手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  再生スイッチ
６８  単写／連写スイッチ
７０  操作部
７２  電源スイッチ
８０  電源制御手段
８２  コネクタ
８６  電源手段
９０  インタフェース
９２  コネクタ  
９４  インタフェース
９６  コネクタ
９８  記録媒体着脱検知手段
１００  画像処理装置
１０４  光学ファインダ
１０６  レンズマウント
１１０  通信手段
１１２  コネクタ（又はアンテナ）
１２０  インタフェース
１２２  コネクタ
１３０  ミラー
１３２  ミラー
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
【図１】
2006033037.tif 000003
【図２】
2006033037.tif 000004
【図３】
2006033037.tif 000005
【図４】
2006033037.tif 000006